(57)【要約】      （修正有）【課題】静止画とその静止画の記録開始から所定時間遡った時点からの動画とを関連付けて記録する際に、特定の被写体に着目した動画を容易に生成できる技術の実現。【解決手段】静止画と動画を関連付けて記録する撮像装置であって、前記静止画の記録開始が指示されてから所定の時間遡った動画を記憶する記憶手段と、前記静止画記録手段に記録されている静止画中の顔を認識する顔認識手段と、前記顔認識手段により認識された顔を登録する顔登録手段と、前記顔認識手段により認識された顔と、前記顔登録手段に登録された顔との類似度を判定する判定手段と、前記判定手段により類似度が基準値より高いと判定された場合に、前記記憶手段に記憶された動画を記録する動画記録手段と、前記動画記録手段に既に動画が記録されている場合には、前記記憶手段に記憶された動画を、前記動画記録手段に記録されている動画と連続再生されるように記録する制御手段と、を有する。【選択図】図４
2015095771.tif 000002
【特許請求の範囲】
【請求項１】
静止画と動画を関連付けて記録する撮像装置であって、
静止画の記録開始を指示する指示手段と、
前記記録開始の指示に応じて撮像手段により撮像された静止画を記録する静止画記録手段と、
前記静止画の記録開始が指示されてから所定の時間遡った動画を記憶する記憶手段と、
前記静止画記録手段に記録されている静止画中の顔を認識する顔認識手段と、
前記顔認識手段により認識された顔を登録する顔登録手段と、
前記顔認識手段により認識された顔と、前記顔登録手段に登録された顔との類似度を判定する判定手段と、
前記判定手段により類似度が基準値より高いと判定された場合に、前記記憶手段に記憶された動画を記録する動画記録手段と、
前記動画記録手段に既に動画が記録されている場合には、前記記憶手段に記憶された動画を、前記動画記録手段に記録されている動画と連続再生されるように記録する制御手段と、を有することを特徴とする撮像装置。
【請求項２】
前記記憶手段は、前記静止画の記録開始が指示された時点または前記静止画記録手段が静止画を記録した時点から所定の時間遡った動画を記憶することを特徴とする請求項１に記載の撮像装置。
【請求項３】
前記制御手段は、前記判定手段による判定の結果にかかわらず、前記記憶手段に記憶された動画が全て連続再生されるように記録することを特徴とする請求項１または２に記載の撮像装置。
【請求項４】
前記判定手段は、前記静止画記録手段に記録されている静止画中から前記顔認識手段により認識された顔の中の１つあるいは複数の顔と、前記顔登録手段に登録された顔の中の１つあるいは複数の顔が一致するか否かを判定することを特徴とする請求項１ないし３のいずれか１項に記載の撮像装置。
【請求項５】
前記顔登録手段に登録された顔の中から顔リストを生成する生成手段をさらに備え、
前記判定手段は、前記顔認識手段により認識された顔の中の１つあるいは複数の顔が、前記顔リストの中の顔の１つあるいは複数の顔と一致するか否かを判定することを特徴とする請求項１ないし４のいずれか１項に記載の撮像装置。
【請求項６】
前記顔リストが複数ある場合、前記判定手段は、前記顔認識手段により認識された顔の中の１つあるいは複数の顔が、前記顔リストの中の顔の１つあるいは複数の顔と一致するか否かの判定を、前記顔リストごとに行い、
前記判定手段によって一致すると判定された場合に、前記制御手段は、前記記憶手段に記憶された動画を、前記顔リストごとに記録し、
前記動画記録手段に前記顔リストごとに対応した動画が既に記録されている場合には、前記制御手段は、前記記憶手段に記憶された動画を、前記動画記録手段に記録されている前記顔リストごとに対応した動画と連続再生されるように記録することを特徴とする請求項５に記載の撮像装置。
【請求項７】
前記制御手段は、前記記憶手段に記憶された動画を、前記動画記録手段に記録されている動画と連続再生されるように連結して１つの動画として記録することを特徴とする請求項１ないし６のいずれか１項に記載の撮像装置。
【請求項８】
前記制御手段は、前記記憶手段に記憶された動画に対して付帯情報を付与し、前記動画記録手段に記録されている動画と連続再生されるように関連付けて記録することを特徴とする請求項１ないし７のいずれか１項に記載の撮像装置。
【請求項９】
静止画の記録開始を指示する指示手段と、前記記録開始の指示に応じて撮像手段により撮像された静止画を記録する静止画記録手段と、前記静止画の記録開始が指示されてから所定の時間遡った動画を記憶する記憶手段と、前記静止画記録手段に記録されている静止画中の顔を認識する顔認識手段と、前記顔認識手段により認識された顔を登録する顔登録手段とを、備える撮像装置の制御方法であって、
前記顔認識手段により認識された顔と、前記顔登録手段に登録された顔との類似度を判定する判定工程と、
前記判定工程により類似度が基準値より高いと判定された場合に、前記記憶手段に記憶された動画を動画記録手段に記録する工程であって、前記動画記録手段に既に動画が記録されている場合には、前記記憶手段に記憶された動画を、前記動画記録手段に記録されている動画と連続再生されるように記録する動画記録工程と、を有することを特徴とする方法。
【請求項１０】
コンピュータを、請求項１ないし８のいずれか１項に記載の撮像装置の各手段として機能させるためのプログラム。
【請求項１１】
コンピュータを、請求項１ないし８のいずれか１項に記載された撮像装置の各手段として機能させるためのプログラムを格納した記憶媒体。
【発明の詳細な説明】
【技術分野】
【０００１】
本発明は、静止画と動画を関連付けて記録する技術に関する。
【背景技術】
【０００２】
最近のデジタルカメラの中には、静止画を記録すると同時に、静止画の記録開始指示時点よりも所定時間遡った時点からの動画を記録し、一日の間に記録した動画を一つの動画ファイルとして連結し記録する機能が搭載されたものがある。
【０００３】
しかしながら、静止画記録後すぐに自動的に動画が連結して記録されるため、ユーザが連結の対象とする動画を選択することができず、不要な動画も連結して記録してしまう。例えば、特定の被写体に着目した動画を生成したいというユーザの要求があった場合、連結して記録された動画ファイルから特定の被写体が写っている部分を抽出するという動画編集作業が別途必要となる。
【０００４】
これに対し、特許文献１では、撮像した動画の中から、特定の被写体が記録されている部分を自動的に抽出し、この抽出した部分の動画を連結して特定の被写体に着目した１つの動画を生成する技術が開示されている。また、特許文献２では、記録された静止画あるいは動画の中から、個人認識技術により、特定の被写体が写っている静止画あるいは動画のみを検索して再生する技術が開示されている。
【先行技術文献】
【特許文献】
【０００５】
【特許文献１】特開平１０−２１５４３４号公報
【特許文献２】特開２００７−３２９６７９号公報
【発明の概要】
【発明が解決しようとする課題】
【０００６】
しかしながら、上記特許文献１では、記録済みの動画から所望のシーンの抽出を行うため、撮影継続中に途中経過として特定の被写体が記録されている部分を確認したい場合、確認のたびに毎回抽出処理が必要となる。そのため、毎回抽出処理の操作を行うのは面倒である上、動画の記録時間あるいは記録数によっては抽出処理に長時間必要となり、特定の被写体に着目した動画をすぐに確認することができない場合がある。
【０００７】
また、上記特許文献２では、複数の静止画あるいは動画が検索結果として出力されるだけである。そのため、特定の被写体に着目した１つの動画を生成したいというユーザの要求を満たすことができない。
【０００８】
本発明では、上記課題に鑑みてなされ、その目的は、静止画とその静止画の記録開始から所定時間遡った時点からの動画とを関連付けて記録する際に、特定の被写体に着目した動画を容易に生成できる技術を実現することである。
【課題を解決するための手段】
【０００９】
上記課題を解決し、目的を達成するために、本発明の撮像装置は、静止画と動画を関連付けて記録する撮像装置であって、静止画の記録開始を指示する指示手段と、前記記録開始の指示に応じて撮像手段により撮像された静止画を記録する静止画記録手段と、前記静止画の記録開始が指示されてから所定の時間遡った動画を記憶する記憶手段と、前記静止画記録手段に記録されている静止画中の顔を認識する顔認識手段と、前記顔認識手段により認識された顔を登録する顔登録手段と、前記顔認識手段により認識された顔と、前記顔登録手段に登録された顔との類似度を判定する判定手段と、前記判定手段により類似度が基準値より高いと判定された場合に、前記記憶手段に記憶された動画を記録する動画記録手段と、前記動画記録手段に既に動画が記録されている場合には、前記記憶手段に記憶された動画を、前記動画記録手段に記録されている動画と連続再生されるように記録する制御手段と、を有する。
【発明の効果】
【００１０】
本発明によれば、静止画とその静止画の記録開始から所定時間遡った時点からの動画とを関連付けて記録する際に、特定の被写体に着目した動画を容易に生成できる。
【図面の簡単な説明】
【００１１】
【図１】本発明に係る実施形態の装置構成を示すブロック図。
【図２】本実施形態の顔登録処理を示すフローチャート。
【図３】本実施形態の顔登録処理における表示画面を例示する図。
【図４】実施形態１の動作フローチャート。
【図５】実施形態２の動作フローチャート。
【図６】実施形態３の装置構成を示すブロック図。
【図７】実施形態３のマップファイルを例示する図。
【図８】実施形態３の動作フローチャート。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１３】
［実施形態１］以下、本発明を、例えば、動画や静止画を撮影するデジタルカメラなどの撮像装置に適用した実施形態について説明する。なお、本発明は、カメラが搭載されたスマートフォン等の携帯型電子機器にも広く適用可能である。
【００１４】
なお、以下の説明において、静止画の記録開始指示時点よりも所定の時間遡った時点から静止画の記録開始指示時点までの期間をプリＲＥＣ期間、プリＲＥＣ期間に撮像装置１００が撮像する動画をプリＲＥＣ動画とする。また、プリＲＥＣ動画を静止画と関連付けて記録すると共にプリＲＥＣ動画同士を連結してダイジェスト動画として記録するモードをプリＲＥＣダイジェスト動画記録モードとする。なお、連結とは、動画ファイルを再生した場合、記録媒体に記録された動画データとＲＡＭに記憶された動画データとが連続再生できるようにすることをいう。
【００１５】
すなわち、本実施形態の撮像装置１００は、プリＲＥＣダイジェスト動画記録モードと、動画は記録せずに静止画のみを記録する通常記録モードとを有している。
【００１６】
＜装置構成＞図１を参照して、本発明に係る実施形態の撮像装置の構成及び機能の概略について説明する。
【００１７】
図１に示す撮像装置１００において、ＣＰＵ１０１は、装置全体を統括して制御する演算処理装置であって、ＲＯＭ１０６に格納されたプログラムを実行することで、後述するフローチャートの各処理を実現する。ＲＡＭ１０５は、ＣＰＵ１０１の動作用の定数、変数、ＲＯＭ１０６から読み出したプログラムなどを展開するワークメモリとしても使用される。また、ＣＰＵ１０１は、メモリや表示部１１３などを制御することにより表示制御も行う。
【００１８】
撮像素子１０２は、被写体の光学像を電気信号に変換するＣＣＤやＣＭＯＳからなるイメージセンサである。Ａ／Ｄ変換回路１０３は、撮像素子１０２のアナログ信号出力をデジタル信号に変換する。タイミング発生回路１０４は、ＣＰＵ１０１により制御され、撮像素子１０２やＡ／Ｄ変換回路１０３にクロック信号や制御信号を供給する。
【００１９】
ＲＡＭ１０５には、撮像素子１０２により撮像された動画や静止画のデータも格納され、所定枚数の静止画や所定時間の動画を格納するのに十分な容量を備えている。また、ＲＡＭ１０５はプリＲＥＣダイジェスト動画記録モードにおいて、常に最新のプリＲＥＣ動画を記憶するリングバッファ構成の領域である。
【００２０】
静止画信号処理回路１０７は、Ａ／Ｄ変換回路１０３からの静止画のデータ或いはＲＡＭ１０５から読み出した静止画のデータに対して所定の現像処理を行う。同様に、動画信号処理回路１０８は、Ａ／Ｄ変換回路１０３からの動画のフレームデータ或いはＲＡＭ１０５から読み出した動画のフレームデータに対して所定の現像処理を行う。
【００２１】
撮影スイッチ１０９は、ユーザがＣＰＵ１０１に対して静止画や動画の記録開始／停止の指示を入力するためのスイッチである。
【００２２】
操作部１１０はユーザがＣＰＵ１０１に対して各種の動作指示を入力するための操作手段であり、スイッチやダイアル、タッチパネルなど構成される。操作部１１０は、撮影モードと再生モードの切り替えや、プリＲＥＣダイジェスト動画記録モードと通常記録モードの切り替え、遡る時間の設定なども行える。
【００２３】
画像解析回路１１１は、Ａ／Ｄ変換回路１０３からの静止画や動画のデータ、或いはＲＡＭ１０５から読み出した静止画や動画のデータに対して画像解析を行う。
【００２４】
画像解析回路１１１は、個人認証手段として、顔認識部１１１ａと顔判別部１１１ｂとを有する。顔認識部１１１ａは、静止画から顔の構成要素である目、鼻、口等の形状を満たす特徴量を抽出し、それらを包含する領域を顔領域として認識する。
【００２５】
顔判別部１１１ｂは、顔認識部１１１ａによって認識した顔と、既に顔登録されている顔とを比較し、同一人物か否かを判別する。
【００２６】
顔登録用メモリ１１２には、顔認識部１１１ａで認識された顔の中から、ユーザが選択した登録したい顔情報が登録される。
【００２７】
表示部１１３はＬＤＣなどからなり、撮像素子１０２により得られる静止画や動画の逐次表示（ＥＶＦ）、記録媒体２００から読み出した静止画や動画の再生、必要に応じて各種設定用のＧＵＩ画面を表示する。
【００２８】
インタフェース回路１１４は、ＣＰＵ１０１の制御により、外部記憶装置としての記録媒体２００に対するデータの書き込みや読み出しを制御する。コネクタ１１５は、ＣＰＵ１０１がインタフェース回路１１４を介して記録媒体２００に対するデータの書き込みや読み出しが可能となるように、撮像装置１００と記録媒体２００とを接続する。
【００２９】
メモリカードやハードディスクなどの記録媒体２００は、撮像装置１００との接続を行うコネクタ２０１、撮像装置１００に対するアクセスを制御するインタフェース回路２０２、半導体メモリや磁気ディスクなどから構成される記録部２０３を備えている。
【００３０】
本実施形態では、外部記憶装置を装着するインタフェースおよびコネクタ（メモリスロット）を一系統持つものとして説明しているが、複数系統を備える構成としても構わない。また、規格の異なるインタフェースおよびコネクタを複数系統組み合わせて構成しても良い。更にまた、無線通信インタフェースに対応させることにより、他の無線通信可能な外部機器との間で動画や静止画のデータ転送を可能として構成としても良い。
【００３１】
＜顔登録処理＞次に、図２を参照して、本実施形態の撮像装置による顔登録処理について説明する。
【００３２】
なお、図２の処理は、ＣＰＵ１０１が、ＲＯＭ１０６に格納されたプログラムを、ＲＡＭ１０５のワークエリアに展開し、実行することにより実現される。
【００３３】
ステップＳ２０１では、ＣＰＵ１０１は、記録媒体２００に記録されている静止画が表示部１１３に一覧表示され、ユーザが操作部１１０を介して登録したい顔が存在する静止画を選択する。そして、選択された静止画が表示部１１３に表示される。
【００３４】
ステップＳ２０２では、ＣＰＵ１０１は、顔認識部１１１ａにより表示部１１３に表示されている静止画から顔が認識されたか否かを判定する。判定の結果、顔が認識された場合はステップＳ２０３に進み、認識されなかった場合は、本処理を終了する。なお、顔認識部１１１ａが１つ以上の顔を認識した場合は、認識した顔の領域を強調表示する。図３（ａ）はステップＳ２０３で表示部１１３に表示される画面を例示し、Ｆ１、Ｆ２が顔として認識され、枠で囲まれて強調表示されている。
【００３５】
ステップＳ２０４では、ＣＰＵ１０１は、表示部１１３に表示されている認識された顔の中から、ユーザが操作部１１０を介して登録したい顔を選択する。
【００３６】
ステップＳ２０５では、ＣＰＵ１０１は、ステップＳ２０４で選択された顔の顔情報が、顔登録用メモリ１１２に登録される。顔情報には、顔認識部１１１ｂが抽出した、目、鼻、口等の特徴量を含む。
【００３７】
ステップＳ２０５で顔情報が登録された後、ステップＳ２０６では、ＣＰＵ１０１は、ユーザが顔登録を続けるか否かを選択する画面を表示部１１３に表示する。図３（ｂ）はステップＳ２０６で表示部１１３に表示される画面を例示し、「顔登録を続けますか？」という文字と共に、「続ける」か「終了」かを選択するボタンが表示されている。そして、図３（ｂ）に示す画面において、「終了する」が選択された場合は、本処理を終了し、「続ける」が選択された場合は、ステップＳ２０４に戻る。
【００３８】
このようにして、ユーザが選択した静止画に含まれる人物の顔情報が、顔登録用メモリ１１２に登録される。図３（ｃ）は、顔登録用メモリ１１２に登録されている顔を確認するために表示部１１３に表示される画面を例示している。図３（ｃ）では、顔登録時に顔情報ごとに割り振られた識別ＩＤ００１、００２と共に、それぞれに対応する顔の画像が表示されている。このように、登録済みの顔画像を表示することで、ユーザは、顔登録用メモリ１１２に現在登録されている顔を確認することができる。
【００３９】
＜画像記録処理＞次に、図４を参照して、本実施形態の画像記録処理について説明する。
【００４０】
なお、図４の処理は、撮像装置１００の電源がオンされたときに開始され、ＣＰＵ１０１が、ＲＯＭ１０６に格納されたプログラムを、ＲＡＭ１０５のワークエリアに展開し、実行することにより実現される。
【００４１】
ステップＳ４０１では、ＣＰＵ１０１は、ユーザが操作部１１０を介して撮影モードを設定する。なお、前回電源がオフされたときのモードを記憶しておき、今回電源がオンされたときにデフォルトモードとして設定しても良い。
【００４２】
ステップＳ４０２では、ＣＰＵ１０１は、ステップＳ４０１で設定された撮影モードが、プリＲＥＣダイジェスト動画記録モードであるか否かを判定する。ここでプリＲＥＣダイジェスト動画記録モードであった場合はステップＳ４０３に進み、プリＲＥＣダイジェスト動画記録モードでない場合はステップＳ４１３に進み、ＣＰＵ１０１は設定された撮影モードに応じた処理を行い、処理を終了する。
【００４３】
ステップＳ４０３では、ＣＰＵ１０１は、予め設定された期間、動画信号処理回路１０８で生成されるプリＲＥＣ動画をＲＡＭ１０５にバッファリングする。
【００４４】
ステップＳ４０４では、ＣＰＵ１０１は、静止画の記録開始指示が入力される、すなわち撮影スイッチ１０９が操作されるまで待ち、記録開始指示が入力された場合はステップＳ４０５に進む。
【００４５】
ステップＳ４０５では、ＣＰＵ１０１は、プリＲＥＣ動画のバッファリングを停止し、ステップＳ４０６に進む。
【００４６】
ステップＳ４０６では、ＣＰＵ１０１は、撮像素子１０２で撮像され、静止画信号処理回路１０７で生成された静止画のデータを静止画ファイルとして記録媒体２００に記録する。
【００４７】
ステップＳ４０７では、ＣＰＵ１０１は、顔登録用メモリ１１２に顔が登録されているか否かを判定する。判定の結果、顔が登録されている場合はステップＳ４０８に進み、登録されていない場合はステップＳ４０８に進む。
【００４８】
ステップＳ４０８では、ＣＰＵ１０１は、記録媒体２００に記録されている静止画ファイルを読み出し、読み出した静止画ファイルのデータに対して顔認識部１１１ａが顔認識を行う。
【００４９】
ステップＳ４０９では、ＣＰＵ１０１は、顔判別部１１１ｂが、顔認識部１１１ａが認識した顔の中に、顔登録用メモリ１１２に登録されている顔と一致する顔があるか否かを判定する。一致するか否かの判定は、顔認識部１１１ａが認識し顔抽出した顔情報と、顔登録用メモリ１１２に登録されている顔情報とを比較し、それらの類似度が基準値より高いか否かによって判定する。ここで、一致する顔がない場合は、処理を終了し、一致する顔がある場合はステップＳ４１０に進む。
【００５０】
ステップＳ４１０では、ＣＰＵ１０１は、記録媒体２００に既にダイジェスト動画が存在するか否かを判定する。判定の結果、ダイジェスト動画が存在する場合はステップＳ４１１に進み、存在しない場合はステップＳ４１２に進む。
【００５１】
ステップＳ４１１では、ＣＰＵ１０１は、動画信号処理回路１０８が、ＲＡＭ１０５にバッファリングされたプリＲＥＣ動画を、記録媒体２００に既に存在するダイジェスト動画の後に連結し、１つのダイジェスト動画として記録媒体２００に記録する。
【００５２】
ステップＳ４１２では、ＣＰＵ１０１は、動画信号処理回路１０８がＲＡＭ１０５にバッファリングされたプリＲＥＣ動画に対して所定の信号処理を行い、ダイジェスト動画の最初の動画として記録媒体２００に記録する。
【００５３】
このように、顔登録用メモリ１１２に登録されている顔と一致する顔が静止画の中に存在した場合に、プリＲＥＣ動画を連結して記録することで、特定の被写体に着目した動画を生成することができる。さらに、静止画記録後すぐにプリＲＥＣ動画を連結して記録するため、ユーザによる動画編集作業を必要とせず、静止画撮像後すぐに確認することができる。
【００５４】
なお、本実施形態では、静止画の記録開始指示が入力されると、撮像された静止画を記録媒体２００に記録する前に、ＲＡＭ１０５へのバッファリングを停止している。すなわち、静止画記録開始指示よりも所定時間遡った時点から静止画記録開始指示までの期間をプリＲＥＣ期間としている。しかしながら、撮像された静止画を記録媒体２００に記録した後、ＲＡＭ１０５へのバッファリングを停止しても良い。すなわち、静止画記録開始指示よりも所定時間遡った時点から静止画記録時点までの期間をプリＲＥＣ期間としても良い。この場合は、図４中のステップＳ４０５とＳ４０６の順序を反対にすることにより実現できる。
【００５５】
［実施形態２］以下に、本発明に係る実施形態２について説明する。
【００５６】
実施形態１では、顔判別部１１１ｂによって既に顔登録されている特定の被写体が静止画に写っていると判定された場合にプリＲＥＣ動画を連結して記録する一方、特定の被写体が写っていないと判定されたプリＲＥＣ動画は記録媒体２００には記録されない。
【００５７】
しかしながら、再生時の状況、例えば時間がある場合には、全てのプリＲＥＣ動画が連結されたダイジェスト動画を再生し、時間がない場合には特定の被写体が写っているプリＲＥＣ動画のみを連結したダイジェスト動画を再生したいという要求もあり得る。また、静止画の撮影条件が悪いと顔判別部１１１ｂが誤判定することも考えられ、顔登録されている被写体が写っているにもかかわらず、プリＲＥＣ動画が連結して記録されないことも起こりうる。
【００５８】
このようなユーザの要求や顔判別部１１１ｂの誤判定に備えるためには、特定の被写体が写っているプリＲＥＣ動画のみを連結したダイジェスト動画とは別に、プリＲＥＣ動画を全て残しておくことが有効である。
【００５９】
そこで、本実施形態では、特定の被写体が写っているプリＲＥＣ動画のみを連結したダイジェスト動画とは別に、既に登録されている顔と一致する顔が静止画中に存在しない場合であっても、プリＲＥＣ動画を連結して記録するように構成している。
【００６０】
なお、以下の説明において、既に登録されている顔と一致する顔が静止画中に存在する場合に記録媒体２００に記録されるダイジェスト動画を第１ダイジェスト動画、一致する顔が存在するか否かにかかわらず、記録媒体２００に記録されるダイジェスト動画を第２ダイジェスト動画という。
【００６１】
まず、図５を参照して、本実施形態の静止画記録処理および動画記録処理について説明する。
【００６２】
なお、図５の処理は、撮像装置１００の電源がオンされたときに開始され、ＣＰＵ１０１が、ＲＯＭ１０６に格納されたプログラムを、ＲＡＭ１０５のワークエリアに展開し、実行することにより実現される。また、本実施形態を実現する装置構成は、図１と同様である。
【００６３】
図５におけるステップＳ５０１〜Ｓ５０９、Ｓ５１６は、図４のステップＳ４０１〜Ｓ４０９、Ｓ４１３と同様の処理であるため説明を省略する。
【００６４】
ステップＳ５０９で、顔認識部１１１ａが認識した顔の中に、顔登録用メモリ１１２に登録されている顔と一致する顔がある場合はステップＳ５１０に進み、一致する顔がない場合はステップＳ５１３に進む。
【００６５】
ステップＳ５１０では、ＣＰＵ１０１は、記録媒体２００に既に第１ダイジェスト動画が存在するか否かを判定する。判定の結果、第１ダイジェスト動画が存在する場合はステップＳ５１１に進み、存在しない場合はステップＳ５１２に進む。
【００６６】
ステップＳ５１１では、ＣＰＵ１０１は、動画信号処理回路１０８がＲＡＭ１０５にバッファリングされたプリＲＥＣ動画を、記録媒体２００に既に存在する第１ダイジェスト動画の後に連結し、１つの第１ダイジェスト動画として記録媒体２００に記録する。
【００６７】
ステップＳ５１２では、ＣＰＵ１０１は、動画信号処理回路１０８がＲＡＭ１０５にバッファリングされたプリＲＥＣ動画に対して所定の信号処理を行い、第１ダイジェスト動画の最初の動画として記録媒体２００に記録する。
【００６８】
ステップＳ５１３では、ＣＰＵ１０１は、記録媒体２００に既に第２ダイジェスト動画が存在するか否かを判定する。判定の結果、第２ダイジェスト動画が存在する場合はステップＳ５１４に進み、存在しない場合はステップＳ５１５に進む。
【００６９】
ステップＳ５１４では、ＣＰＵ１０１は、動画信号処理回路１０８がＲＡＭ１０５にバッファリングさたプリＲＥＣ動画を、記録媒体２００に既に存在する第２ダイジェスト動画の後に連結し、１つの第２ダイジェスト動画として記録媒体２００に記録する。
【００７０】
ステップＳ５１５では、ＣＰＵ１０１は、動画信号処理回路１０８がＲＡＭ１０５にバッファリングされたプリＲＥＣ動画に対して所定の信号処理を行い、第２ダイジェスト動画の最初の動画として記録媒体２００に記録する。
【００７１】
このように、第１ダイジェスト動画と第２ダイジェスト動画の両方を記録することで、再生時にユーザが第１ダイジェスト動画あるいは第２ダイジェスト動画のどちらを再生するかを選択することができる。また、顔判別部１１１ｂの誤判定などによって所望の第１ダイジェスト動画が得られなかった場合でも、第１ダイジェスト動画に連結されなかった動画部分を第２ダイジェスト動画で確認することができる。
【００７２】
［実施形態３］以下に、本発明に係る実施形態３について説明する。
【００７３】
本実施形態では、特定の被写体が写っているプリＲＥＣ動画に付帯情報を付与し、マップファイルに記録するように構成している。
【００７４】
図６は実施形態３の撮像装置１００の構成を示しており、図１の構成にマップファイル記録部１１６が追加されている。マップファイル記録部１１６は、連続再生用タグなどの付帯情報と、静止画、プリＲＥＣ動画、ダイジェスト動画を関連付けたマップファイルを生成し、記録する。ここで、連続再生用タグとは、連続して再生するプリＲＥＣ動画を判定するために、該当するプリＲＥＣ動画に付与されるタグのことである。
【００７５】
ここで、図７を参照して、マップファイル記録部１１６が記録するマップファイルについて説明する。
【００７６】
マップファイルには、プリＲＥＣダイジェスト動画記録モードで記録された静止画名７０１、各静止画に対応するプリＲＥＣ動画名７０２、ダイジェスト動画名７０３、各プリＲＥＣ動画のダイジェスト動画内時間７０４、各プリＲＥＣ動画に付与されている連続再生用タグ７０５が関連付けて記録されている。
【００７７】
静止画ＪＰＧ１〜３はプリＲＥＣダイジェスト動画記録モードで記録された静止画であり、プリＲＥＣ動画ＭＯＶ１〜３はそれぞれ静止画ＪＰＧ１〜３の記録開始指示時点よりも所定時間遡った時点から記録開始指示時点までのプリＲＥＣ動画である。所定時間は、図７では４秒間に設定されている。また、プリＲＥＣ動画ＭＯＶ１〜３はダイジェスト動画ｃｏｎｎｅｃｔＭＯＶ００１に連結されている。プリＲＥＣ動画ＭＯＶ１〜３はそれぞれ、ダイジェスト動画ｃｏｎｎｅｃｔＭＯＶ００１の０：００〜０：０４、０：０４〜０：０８、０：０８〜０：１２の期間に連結されている。さらに、既に登録されている顔と一致する顔が写っていると判定された静止画がＪＰＧ１、ＪＰＧ３である場合、対応するプリＲＥＣ動画ＭＯＶ１、ＭＯＶ３に連続再生用タグＴＡＧ００１が付与される。そして、既に登録されている顔と一致する顔が写っているプリＲＥＣ動画のみを再生する場合は、マップファイルに記録されている連続再生用タグ７０５とダイジェスト動画内時間７０４との関連付けを行い、ダイジェスト動画の該当する部分のみを連続して再生する。例えば図７に示すマップファイルが記録されている場合、まず、既に登録されている顔と一致する顔が写っているプリＲＥＣ動画に付与されている連続再生用タグＴＡＧ００１を参照する。次に、図７に示すマップファイルを参照して、連続再生用タグＴＡＧ００１が付与されているプリＲＥＣ動画ＭＯＶ１、ＭＯＶ３を参照する。そして、プリＲＥＣ動画ＭＯＶ１、ＭＯＶ３に対応するダイジェスト動画ｃｏｎｎｅｃｔＭＯＶ００１と、ダイジェスト動画ｃｏｎｎｅｃｔＭＯＶ００１内の時間０：００〜０：０４、０：０８〜０：１２を参照し、参照された動画部分を連続して再生する。
【００７８】
以下に、図８を参照して、本実施形態の静止画記録処理および動画記録処理について説明する。
【００７９】
なお、図８の処理は、撮像装置１００の電源がオンされたときに開始され、ＣＰＵ１０１が、ＲＯＭ１０６に格納されたプログラムを、ＲＡＭ１０５のワークエリアに展開し、実行することにより実現される。
【００８０】
図８におけるステップＳ８０１〜Ｓ８０９、Ｓ８１１〜Ｓ８１３、Ｓ８１５は、図４のステップＳ４０１〜Ｓ４１３と同様の処理であるため説明を省略する。
【００８１】
ステップＳ８０９で、顔認識部１１１ａが認識した顔の中に、顔登録用メモリ１１２に登録されている顔と一致する顔がある場合はステップＳ８１０に進み、一致する顔がない場合はステップＳ８１１に進む。
【００８２】
ステップＳ８１０では、動画信号処理回路１０８がプリＲＥＣ動画に連続再生用タグを付与する。
【００８３】
ステップＳ８１４では、ＣＰＵ１０１は、マップファイル記録部１１６により、静止画、プリＲＥＣ動画、ダイジェスト動画、プリＲＥＣ動画に付与された連続再生用タグがマップファイルとしてまとめて記録される。
【００８４】
このように、既に登録されている顔と一致する顔が静止画中に存在した場合のみ、プリＲＥＣ動画に連続再生用タグを付与し、マップファイルに記録することで、特定の被写体に着目した動画のみを再生することができる。また、本実施形態では、記録されるダイジェスト動画は１つであるため、実施形態２に比べて、記録媒体２００を占めるデータ容量は少なくて済む。
【００８５】
なお、上述した各実施形態では、静止画記録開始指示後、静止画を記録媒体に記録する前に、プリＲＥＣ動画のバッファリングを停止している。すなわち、静止画記録開始指示時点よりも所定時間遡った時点から静止画記録開始指示時点までの期間をプリＲＥＣ期間としている。しかしながら、静止画を記録媒体に記録した後、プリＲＥＣ動画のバッファリングを停止しても良い。すなわち、静止画記録開始指示時点よりも所定時間遡った時点から静止画記録時点までの期間をプリＲＥＣ期間としても良い。この処理は、図４のステップＳ４０５とＳ４０６の順序を反対にすることにより実現できる。
【００８６】
上述した各実施形態では、顔判別部１１１ｂは、顔登録用メモリ１１２に登録されている顔の１つあるいは複数の顔と一致するか否かを判定した。しかし他にも、顔登録用メモリ１１２に登録された顔からユーザが顔リストを新たに生成できるようにし、ユーザが選択した顔リストの中の顔の１つあるいは複数の顔と一致するか否かを判定するようにしても良い。
【００８７】
さらに、ユーザが顔リスト選択する際、顔リストを複数選択できるようにしても良い。この場合、ユーザが選択した顔リストごとに、各顔リストに対応したダイジェスト動画を生成しても良い。
【００８８】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2015095771.tif 000003
【図２】
2015095771.tif 000004
【図３】
2015095771.tif 000005
【図４】
2015095771.tif 000006
【図５】
2015095771.tif 000007
【図６】
2015095771.tif 000008
【図７】
2015095771.tif 000009
【図８】
2015095771.tif 000010